(57)【要約】  低電圧電気器具（３００）を備える第一家具部材（１００）を含み、低電圧電気器具は、第一家具部材の主表面に固定され、第一家具部材は、第一家具部材の主表面に界面構成で固定される一対の協働する穿孔付き導体レール（１１０）を含む低電圧導管手段を備え、導体レールは、取り外し可能な電気コネクタ組立体の部分を含む、電動モジュラ家具システム。
2010502342.tif 000002
【特許請求の範囲】
【請求項１】
低電圧電気器具を備える第一家具部材を含み、前記低電圧電気器具は、前記第一家具部材の主表面に固定され、前記第一家具部材は、前記第一家具部材の主表面に界面構成で固定される一対の協働する穿孔付き導体レールを含む低電圧導管手段を備え、前記導体レールは、取り外し可能な電気コネクタ組立体の部分を含む、電動モジュラ家具システム。
【請求項２】
前記電気器具は、照明器具である、請求項１に記載の電動モジュラ家具システム。
【請求項３】
前記コネクタ組立体は、挿入型である、請求項１に記載の電動モジュラ家具システム。
【請求項４】
前記コネクタ組立体は、形状接触型である、請求項１に記載の電動モジュラ家具システム。
【請求項５】
一対の協働する穿孔付き導体レールを備える第二家具部材を含み、前記一対の協働する穿孔付き導体レールは、前記第二家具部材の主表面に界面構成で固定され、前記導体レールは、取り外し可能な電気コネクタ組立体の部分を含む、請求項１に記載の電動モジュラ家具システム。
【請求項６】
前記第一及び第二の家具部材は、横方向に接合される、請求項５に記載の電動モジュラ家具システム。
【請求項７】
前記第一及び第二の家具部材は、垂直に接合される、請求項５に記載の電動モジュラ家具システム。
【請求項８】
前記コネクタ組立体は、機械的な締結具手段を提供するよう形成される、請求項１に記載の電動モジュラ家具システム。
【発明の詳細な説明】
【技術分野】
【０００１】
本発明は、電動モジュラ家具システムに関する。より具体的には、本発明は、複数の異なる家具ユニットに組み立てられ得る幾つかの基本構成部品から成る電動モジュラ家具システムに関する。
【背景技術】
【０００２】
よって、電動家具システムは、顧客が彼の必要に適するように構成部品及び特注設計を購入することを可能にする。
【０００３】
大量市場のための従来的なモジュラ家具設計は、一般的には、木材及びプラスチック構造に限定される。電動構成部品は、一般的には、従来的な家具システムでは提供されない。何故ならば、殆どの製造業者は、配線、結合、及び、電機部品の据え付けのために設備も人員も備えないからである。
【０００４】
しかしながら、そのようなシステム、特に、棚の上の品目又は作業空間を照明する照明器具を含む電動及び照明家具システムの必要がある。
【０００５】
照明器具を組み込む既存のモジュラ家具システムは、典型的には、配線の使用を含み、配線は、システム構成部品内を内部的に走るか、或いは、さもなければ、目障りで潜在的に危険な方法で垂れ下がる。
【０００６】
内部導体を備える垂直部材を有する一体的電化モジュラ家具システムが、ＵＳ６５２７４０６Ｂ１号から既知である。隣接する垂直部材が異なる電気極性であるよう、導体は低電圧電力源に結合される。モジュラ家具システムにおける使用のための支持部材は、垂直部材内に係合されるときに内部導体と電気接触を行うよう設計される。光器具のような電気装置が、反対極性の垂直部材内に係合される一対のブラケットの間に結合され、電気装置を励起し得る。
【発明の概要】
【発明が解決しようとする課題】
【０００７】
しかしながら、これらの家具システムは、本発明に見い出される利点の多くを提供するのに失敗している。
【０００８】
必要とされるのは、様々な構造の電動家具構成部品の急速で且つ低費用な組立てを容易化するよう機械的及び電気的に一体化され、それによって、大量市場のための電動家具の入手可能性を向上するモジュラ家具システムである。
【課題を解決するための手段】
【０００９】
これらの及び他の目的は、低電圧電気器具を備える第一家具部材を含み、低電圧電気器具は、第一家具部材の主表面に固定され、第一家具部材は、第一家具部材の主表面に界面構成で固定される一対の協働する穿孔付き（開放）導体レールを含む低電圧導管手段を備え、導体レールは、取り外し可能な電気コネクタ組立体の部分を含む、電動モジュラ家具システムによって達成される。
【００１０】
本発明のモジュラ家具システムは、製造におけるその大きな単純性、その低費用、及び、用途のその多用性によって区別される。それは組み合わせ家具の実現を許容し、それは、原理上、使用は工具を使用せずに何時でも改造され得るし、それは、取付けが簡単なので、取付けは未熟練の人によっても遂行され得る。
【００１１】
本発明に従った穿孔付き導体レールは、多数の位置で取り外し可能なコネクタ組立体のモジュラシステムに特に適しており、家具部材の横方向及び／又は垂直方向の並びに蝶番付き電気接合をもたらす。
【００１２】
導体レールは、典型的には、家具構成部品の主表面及びレールの正面の外側に突出せず、中間のパネルの表面は、電気器具が配置される平面的な表面をもたらすために、並びに、審美的な理由から平面的な後方表面を提供するためにも、実質的に平面的である。このようにして、家具システムは、魅力的な外観を有する。
【００１３】
本発明の好適実施態様によれば、電気器具は、照明器具である。
【００１４】
本発明の１つの変形によれば、挿入型のコネクタ組立体が使用される。有利に、プラグ及び受口が使用される。
【００１５】
本発明の他の変形によれば、形状接触型のコネクタ組立体が使用される。
【００１６】
電動モジュラ家具システムは、一対の協働する穿孔付き導体レールを備える第二家具部材を含み、一対の協働する穿孔付き導体レールは、第二家具部材の主表面に界面構成で固定され、導体レールは、取り外し可能な電気コネクタ組立体の部分を含み得る。
【００１７】
家具組立体全体は、特別な位置にその光源を備え、電源への接続は、それが搭載電池を備える内部的なものであれ、電線からの外部的なものであれ、モジュラ導管システムを含む完全な電動モジュラ家具システムを構成する。
【００１８】
第一及び第二の家具部材は、導管レールが対状に且つ概ね同一平面上に整列されるよう、横方向に接合され得る。
【００１９】
第一及び第二の家具部材は、さもなければ、モジュラ導管システムを中断せずに垂直に接合され得る。
【００２０】
本発明の極めて好適な実施態様によれば、機械的締結具手段を提供するようコネクタ組立体が形成されるモジュラ家具システムが提供される。
【００２１】
このように構成され得る家具ユニットは、機械的締結具に基づく固定を備えなくても、完全な位置決めを提示し、且つ、安定性を絶対的に保証する。
【００２２】
電動モジュラ家具システムのこの実施態様は、家具の前部品に高次の固体性をもたらしながら、費用がかかり過ぎない。
【００２３】
それは、特殊な工具を使用せずに、即ち、特殊な技能を有さない如何なる使用者もこれらの動作を遂行し得る方法で、組み立てられ、取り付けられ、且つ／或いは、取り外され得る。
【００２４】
本発明は、容易に組み立てられ且つ分解される並びに様々な異なる構成に設置され得る電動モジュラ家具システムに向けられている。システムは、家具部材の１つ又は２つの主要な系統又は種類を含む、ラック、キャビネット、引出し、及び、照明ストリップパネルのような家具ユニットを提供する。
【００２５】
第一系統の家具部材は、一体化される電気器具、好ましくは、照明器具と、モジュラ電気導管手段とを支持する、パネル、棚、境界、蝶番付きドア等である。
【００２６】
第二系統の家具部材は、モジュラ回路手段を含むが、電気器具を含まない、第一家具部材を支持し或いはそれを電源に接合するよう作用する、パネル、棚、側壁、フレーム、境界のような支持及び／又は接合構成部品である。
【００２７】
ここにおいて及び以下において、「頂部」、「底部」、「後方」、「側方」、「前方」、及び、「下方」の用語は、請求される発明の記載を容易化するためにのみ使用され、家具ユニット内の家具部材の向きを制限しない。
【００２８】
様々な部材は、異なるサイズであり得るし、使用者要求及び／又は貯蔵ユニットが使用される環境に従った所望の構造を有する家具ユニットを形成するよう様々な組合せ及び小組合せにおいて一体に構成され得る。
【図面の簡単な説明】
【００２９】
【図１】本発明モジュラ機能を備えて構成された電動家具部材の第一実施態様を示す斜視図である。
【図２】第一及び第二の家具部材の間のコネクタ組立体を示す斜視図である。
【図３】本発明に従った照明ストリップの第一実施態様を示す斜視図である。
【図４】本発明に従った照明ストリップの第二実施態様を示す斜視図である。
【図５】第一及び第二の照明器具を含む本発明に従った照明ラックユニットの第一実施態様を示す斜視図である。
【図６】本発明に従った照明ラックの第二実施態様を示す斜視図である。
【図７】半管状受口を含むコネクタ組立体を示す斜視図である。
【図８】蝶番付きドアを含む電動及び照明家具ユニットの実施態様を示す概略図である。
【図９】本発明に従った片持ち棚ユニットを示す斜視図である。
【発明を実施するための形態】
【００３０】
図１を参照すると、第一家具部材１００は、典型的には、平面的な構造であり、各第一家具部材は、対向する第一及び第二の主表面と、第一及び第二の主表面に対して直交し且つそれらに結合される側面とを含み、側面の横方向縁部は、第一及び第二の主表面の横方向縁部に結合されることが見られ得る。
【００３１】
第一家具部材は、好ましくは、高さ「Ｈ」及び幅「Ｗ」の図示される矩形であるが、一体化される電気器具の取付けを可能にする、三角形、八角形、及び、類似形状のような平坦な表面を有する、他の形状も使用され得る。
【００３２】
家具部材は、平坦である必要もなく、例えば、それらは湾曲も有し得る。
【００３３】
家具部材は、典型的には、様々な木材、大理石、又は、石材のような天然材料を含む一般的な家具建造材料で形成されるが、ＭＤＦ、Ｆｉｎ  ｐｌｙ（ＴＭ）、Ｃｏｒｉａｎ（ＴＭ）、又は、ガラスのような人工製品も使用され得る。好ましくは、この発明において使用される家具構成部品は、木材又はプラスチック材料のような絶縁材料から作成される。
【００３４】
第一家具部材は、構成部品の第一主表面に接続される低電圧電気器具３００を含む。
【００３５】
電気器具は、様々な種類及び量の照明、スイッチ設計、有用性、及び、他の用途をもたらす様々な形態を取り得る。
【００３６】
本発明の好適実施態様によれば、モジュラ家具システムは、低電圧白熱灯（白熱ランプ）、蛍光灯（蛍光ランプ）、又は、ＬＥＤランプ用の器具のような、少なくとも１つの低電圧照明器具を含む。
【００３７】
別個の或いはストリップ状の照明器具が使用され得る。全ての第一家具部材に提供される類似の照明器具があり得るし、或いは、使用者が彼の要求に適するよう或いは異なる照明効果のために選択する照明選択肢の選択を有するよう、部材の少なくとも一部の照明において相違があり得る。
【００３８】
一体化される電気器具は、完全なモジュラ低電圧導管設計を構成する電力、検出、及び、制御のための補助的な電気回路手段も組み込む。
【００３９】
補助的な回路手段は、電気幹線電圧アダプタ３１０のような出力制御素子を含み得る。好ましくは、アダプタは、コンパクトなユニットであり、それは過度に目立たず、システム内の視野から隠され得る。電力コントローラ３１０は、従来的な組立技法に従って組み立てられ得るＡＣ／ＤＣコンバータを含む。それはさらに外部電力入力３２０を含み得る。
【００４０】
また、１つ又はそれよりも多くのスイッチが設けられ得る。そのようなスイッチは、タイマ設定、多数の光のための多数のスイッチ設定、及び、遠隔制御活性化を含み得るが、それらに限定されない。
【００４１】
電気器具に電力供給するために、電気器具の２つの端子は、電力源の反対の極に直接的に或いは間接的に電気的に接続されなければならない。
【００４２】
従って、第一家具部材１００は、部材の主表面に一体化される一対の協働する穿孔された第一及び第二の導体レール１１０を含む。
【００４３】
穿孔付き導体レール１１０は、鋼、アルミニウム、真鍮、又は、類似物のような、伝導性金属から形成され得る。
【００４４】
有利に、レール１１０は、中実構造であり、好ましくは、正方形又は矩形の断面を有する。他の実施態様によれば、導体レールは、台形断面、或いは、横方向案内バーを備える矩形である。例えば、蟻に類似するアンダーカット楔形状断面も設けられ得る。
【００４５】
典型的には、レールの正面は滑らかであるが、本発明の代替的な実施態様によれば、レールの正面は、飾りのような装飾素子、或いは、凸状或いは凹状の、湾曲した或いは傾斜した表面を含み得る。
【００４６】
穿孔付き導体レールの界面構成を提供するために、並びに、前記レールを堅固に固定するために、それらは第一家具部材の主表面にスロット嵌めされる。
【００４７】
一対の開放スロットが、一対の穿孔付き導体レールを形状係止的(form-locking)又は強制係止的(force-locking)に取り囲み、家具部材の主表面と実質的に面一である。
【００４８】
好適実施態様によれば、家具部材は、側面から主表面に入り電気器具３００の取付け地点まで延びる一対のレールで形成される。
【００４９】
代替的な実施態様によれば、家具構成部品は、主表面を通じて側面から反対の側面まで延びる一対のレールで形成される。
【００５０】
穿孔付き導体レールの最大深さは、有利に、第一家具構成部品の断面の高さの半分以下である。
【００５１】
レールの正面及び中間の家具部材の表面は、典型的には、電気器具が配置される平面的な表面を提供するために、実質的に平面的である。
【００５２】
一対のレールは、主表面の縁部よりも狭い間隙を備えて、主表面の縁取り(fringe)から離れて配置される。
【００５３】
本発明の１つの実施態様によれば、協働する一対のレール１１０は、各レールの１つの部分が電気器具と接触するよう、電気器具の端子間の間隙と一致する均一な間隙レールによって物理的に分離されるよう配置される。
【００５４】
本発明の代替的な実施態様によれば、協働する一対のレール１１０は、各レールが電気器具と接触するよう、電気器具の両側と接触するために非均一な間隙によって物理的に分離されるよう傾斜され且つ配置される。
【００５５】
穿孔付き導体レール１１０は、従来技術において理解される技法を介して電気器具の端子に締結される。
【００５６】
モジュラ導管システムを提供するために、並びに、家具部材に取り付けられる電気器具に電力供給するために、穿孔付き導体レールは、電源の両極に直接的に或いは間接的に電気的に接続されなければならない。
【００５７】
本発明の好適実施態様によれば、第一家具部材１００は、少なくとも１つの第二家具部材２００を介して電源に接続される。
【００５８】
第二家具部材２００は、支持部材、側壁、延長部のような部材であり得る。
【００５９】
第二家具部材２００は、レール１１０に設計的に類似する、協働する離間した一対の穿孔付き導管レール２１０も備える。
【００６０】
第一及び第二の家具部材を接合するために、家具構成部品は、モジュラ電気導管システムを含むモジュラ家具システムを可能にするよう、複数の家具部材を電気的に相互接続し且つ機械的に相互締結するために、１つ又はそれよりも多くの協働的な取り外し可能な接合手段と適合される。
【００６１】
第一及び第二の家具部材を接合するために、機械的相互締結手段４００が必要とされる。
【００６２】
原理上、第一家具部材は、任意の従来的な方法で、所望の位置において、第二家具部材に機械的に締結され得る。
【００６３】
例えば、それらは、溶接、ろう接、接着性又は粘着性の結合材料によって、互いに恒久的に付着され得る。
【００６４】
しかしながら、簡単で安価なモジュラ設定を提供するために、ボルト、ネジ、フック、リベット、ピン、ポスト、クリップ、クランプ、バックル、及び、他の従来的な締結具による取り外し可能な相互締結手段が、好ましい変形である。
【００６５】
電気的相互接続は、導体レールの部分に取り付けられるコネクタ組立体を介して行われる。コネクタ組立体の部分は、それらを対でレールの対に、隣接する家具部材に、或いは、モジュラ電気導体のための電源に解放可能に接続するためにレールに提供される。本発明の１つの実施態様によれば、コネクタ組立体は、家具部材の高さを通じて貫通し得る。
【００６６】
本発明の好適実施態様によれば、導体レールの部分は、取り外し可能な電気的コネクタ部分を備える。
【００６７】
本発明に従った穿孔付き導体レールは、多数の位置における取り外し可能なコネクタ組立体のモジュラシステムに特に適し、家具部材の横方向及び／又は垂直方向の、及び／又は、蝶番付き電気的接合をもたらす。
【００６８】
有利に、取り外し可能なコネクタ組立体は、挿入型又は圧力型である。
【００６９】
挿入型の取り外し可能なコネクタ組立体は、プラグコネクタ部分と、一致する受口コネクタ部分とを含む。
【００７０】
成形又は圧力型の取り外し可能なコネクタ組立体は、２つの一致する接触面部分を含む。２つの部分の伝導性部分は、「正面」(“head  on”)接合される、即ち、それらが接合される方向に前記部分の「正面」端部に配置される。
【００７１】
モジュラ家具システムの高度の調節性を許容するために、有利に、全ての導体レールは、コネクタ部分を備えるが、部材毎に２つの接続部分だけが必要とされる。
【００７２】
従って、各導体レールは、その表面上に或いはさもなければ横方向側面上に配置され、且つ、第二家具部材又は電源の接触部分と接触させられるよう構成される、少なくとも１つの導体部分を含む。
【００７３】
コネクタ組立体は、コネクタ部分の係止的な係合をもたらすために、相互接続回止め手段を有し得る。
【００７４】
本発明の第一の変形において、第一家具部材は、プラグと受口部分とを含む挿入コネクタ組立体によって第二部材に取り外し可能に取り付けられる。
【００７５】
プラグ及び受口は協働するよう設計され、且つ、隣接する家具部材のプラグ及び受口と結合する。
【００７６】
この変形の第一実施態様において、第一家具構成部品は、互いに対して横方向に変位される位置において、第二構成部品に取り外し可能に取り付けられる。
【００７７】
本発明のこの実施態様は、幾つかのパネル又は棚が列を形成するようそれらが接続される場合に有利である。
【００７８】
この種類の較正のコネクタ手段を提供するために、コネクタレールの端部は、他の家具構成部品又は電源の導体レールの端部で受口２１１に嵌め込まれるよう、電気プラグ１１１として構成される。
【００７９】
図２に最良に示されるように、第一家具部材のレールのプラグ１１１は、第二家具部材の導体レールの側面上の受口２１１と係合するよう延在する。
【００８０】
２つのパネルが共通の横方向平面内で一体に接合される場合には、図２に示される平坦な突起(prong)付きコネクタ組立体が有利に使用される。
【００８１】
他の形状のプロファイルも使用され得る。図１には、異なる種類のプラグインコネクタ組立体が示されており、それは２つの丸められた突起を有し、極めて論理的に、受口のための丸い孔を有する。
【００８２】
プラグはバネ荷重部材も備え得る。必要とされる場合には、バネは接続のための追加的な接触圧力をもたらす。
【００８３】
図７に示される本発明の他の実施態様によれば、モジュラシステムは、第一部材の管状受口１１４と協働し且つ第二部材のレールの対応する円筒状受口２１２内に延びる取外し式の挿入円筒形ピン１１２を使用する。
【００８４】
プラグ及び受口は、好ましくは、家具部材が互いに面一になることを保証するために、レールの幅未満で延びる。
【００８５】
図３及び４には、本発明に従ったモジュラ家具システムのモジュラ家具版の簡単な構成が示されている。
【００８６】
図３は、照明ストリップ、及び、バネ荷重管状ピンを含むプラグコネクタ組立体によるその取付けの斜視図を示している。
【００８７】
少なくとも３つの家具部材、ベース部材１００及び２つの側壁部材２００が、１つ又はそれよりも多くの照明器具３００で個別に照明され得るストリップ状照明システムを形成するよう組み立てられる。
【００８８】
図３に示されるストリップ状照明システムは、棚又はキャビネットの下面から下に光を投射するために有利に使用される。従って、第一パネル部材の上方及び下方の側壁は、棚又は天井の下のストリップ状照明部材の傾斜配置のために面取りされる。
【００８９】
幾つかのベース部材１００が、整列されたパネルの続きのために接合され得る。
【００９０】
ベース部材１００の正面は、小さい白熱灯のような陥凹照明器具３００が接続され得る２つの離間した導体レール１１０を支持する。ランプの端子は、伝導レールの接触部分に適切な方法で接続される。
【００９１】
導体レールの端部は、バネ取付け管状ピン１１１として成形されるプラグを含むのに対し、側壁部材のレールは、円形受口を含む。
【００９２】
第一部材１００の側部に位置付けられるのは、傾斜ストリップの背後の空洞を隠し、幹線電圧アダプタ３１０も隠すための、三角形として成形される接合する対の垂直フレーム第二家具部材２００である。
【００９３】
垂直パネルは、傾斜部材のコネクタ部分地点と接触するよう、傾斜導体レールを支持する。端部は、管状受口を備える。
【００９４】
図４は、照明ストリップ１０の代替的な実施態様の斜視図を示している。図４に示される照明ストリップと上記される照明ストリップとの間の相違は、上向きに開口する溝をそこに提供することである。溝はベース部材の全長に沿って延び、整列パネルの続きの本質的に全長に沿って長手方向に延びる連続的な溝を形成する。この構成は、整列パネルの全長に沿ってランプ３０５及び品目ホルダ４０５のための器具のような取り外し可能な器具の連続的な中断されない摺動又は調節を許容する。
【００９５】
他の全ての点では、図４に示される照明ストリップは、上記された照明ストリップと構造及び動作が本質的に同じである。
【００９６】
第一家具部材のプラグは第二家具部材のレールの側面上の受口と必ずしも横方向に係合する必要がないことが理解されるべきである。
【００９７】
複数の家具部材が横方向に整列されず、むしろ、互いに固定されて或いは蝶番付けられて角度を形成する全ての種類のモジュラ家具構成がある。
【００９８】
本発明の変形によれば、別個の家具部材が９０度間隔に相互接続され得る。
【００９９】
本発明の好適実施態様によれば、導体レールの頂面部分は、取り外し可能な電気コネクタ組立体部分を備える。
【０１００】
この種類の構成のための接続手段を提供するために、第一家具部材のレールのプラグは、第二家具部材の導体穿孔付きレールの頂面上の受口内に延びて係合する。
【０１０１】
本発明のこの変形は、ラック、本棚、及び／又は、開放又はドア付きの棚若しくはキャビネットを含む、様々な種類の家具ユニットを製造するよう有利に利用され得る。
【０１０２】
図５には、本発明のそのような種類の実施例、１つ又はそれよりも多くの照明器具で個別に照明され得る棚を備える棚システムが示されている。
【０１０３】
図５に示されるように、棚システムは、支持構造又はフレームを形成するよう互いに接合される、一対の離間した従属側壁２００、頂壁及び底壁から形成される。
【０１０４】
フレームは、次いで、支持構造に対するあらゆる角度で、好ましくは、それに対して水平に、下に位置する支持構造の側壁に独立的に且つ取り外し可能に取り付けられる少なくとも１つのパネル１００を支持する。
【０１０５】
互いに対する並びに棚に対するフレーム部材の機械的接合は、従来的な締結手段４００によって提供される。
【０１０６】
棚１００の少なくとも一部、（構造のベースにある棚を可能な例外として）潜在的にそれらの全ては、主表面に取り付けられる電気器具を有する。
【０１０７】
照明器具は、通常、下向きに下に位置付けられ、且つ、棚パネルの下方表面内の空所に部分的に或いは完全に置かれる。
【０１０８】
よって、照明器具は隠され、棚１００の下面を照明し、それによって、下の棚の上に配置される物品は、隠蔽される照明によって適切に照明される。
【０１０９】
代替例は、天井を照明するために頂面に取り付けられるフラッドライト（投光器）である。
【０１１０】
図５に示されるランプ３０５の端子３０１は、棚の同一側に配置される主表面に沿って延びる一対の伝導レール（図示せず）に接続される。
【０１１１】
代替的に、ランプ３０５は、棚の他の主表面に配置される一対の伝導レールとの電気接触を形成し得る。
【０１１２】
図面の図４及び５に最良に示されるように、各側パネル２００は、横方向に並びに長手方向に離間する一対の導体穿孔付きレールを備える。これらのレールは、１つ又はそれよりも多くの水平な第一家具部材のパネル１００の各導体レールの端部と一体のプラグを受け入れるためにそれらの頂面に形成される複数の離間した受口を有する。
【０１１３】
よって、パネル１００及び２００のレールは、照明器具３００から電源（図示せず）への連続的な電気トラックを形成する。
【０１１４】
側壁２００の導体レール２１０は、側壁パネル２００の側面に向かって棚側壁の全長に沿って延びる。
【０１１５】
穿孔付き導体レール２１０の自由な上方及び下方の端部は、棚側壁が第二の種類の電気照明器具に或いは床電源に接続されるのを可能にするよう、好ましくは、その上に受口も備える。
【０１１６】
図５には、寝室用ランプとして有用な第二の種類の照明器具を含む家具ユニットが示されている。
【０１１７】
図５中に最良に見られ得るように、ランプ下方部分は、側壁部材内の協働する一対の導体レールの前記側面に相互接続され且つ締結される手段を含む。
【０１１８】
そのような相互接続のための手段は、例えば、ランプを前記側壁に固定するために相互接続する受口への係合のためのプラグを含むランプ二部ベースによって構成される。
【０１１９】
本発明のランプベースは、図５に示されるような様々な型になり得る。
【０１２０】
図５の実施態様中の電気コネクタと機械的締結具との組み合わせが最大精度で位置付けられなければならないことは明らかである。これはパネルのサイズが考慮されるときに特に困難であることが分かり得る。そのような設計は、空気条件変化（例えば、湿度、温度）の結果として変化し得るピン及びボアの位置及び寸法における変動も受けやすい。
【０１２１】
よって、本発明の特に好適な特徴によれば、２つの家具部材の間の接合は、導体レールの部分が電気コネクタ及び機械的締結具として同時に作用するようである。
【０１２２】
図６を参照すると、モジュララックは、やはり、一対の同様に別個に配置され並びに平行で水平な頂部材及び底部材に締結される、一対の別個に配置され並びに平行で垂直な支持部材２００で構成される。
【０１２３】
照明器具、並びに、一対の別個に配置され並びに平行で水平な導体レールは、水平な家具部材１００の下方表面に固定される。
【０１２４】
図５の実施態様と比較されると、垂直な行列の受口を支持する側壁パネルの穿孔付きレールは、より広く離間している、即ち、棚幅の１／２〜４／５、好ましくは、棚幅の約２／３のオーダにある間隔である。
【０１２５】
そのような列の受口は、図６の実施態様においてより広く離間されるので、トラックの側壁２００とパネル１００との間の機械的締結は、棚荷重支持電気コネクタ組立体で起こる重力の力に対する抵抗をもたらすのに十分である。
【０１２６】
よって、照明されるパネルを側壁パネルに物理的に接合するのに機械的な締結具は不要である。これは製造費用を削減するのを助け、棚の位置決めにより多くの柔軟性をもたらす。
【０１２７】
本発明の好適実施態様において、第一家具部材は、複数の位置で第二部材に取り外し可能に取り付けられ得る。１つの位置は、互いに対して垂直に配置される。
【０１２８】
本発明のさらに他の実施態様が図７に示されており、それは基本的には図５及び６に示されるものに対応している。
【０１２９】
この実施態様によれば、受口１１４は、半管状形態である。
【０１３０】
各受口１１４は、長手に延びる肩部を定める半管状断面を含む。
【０１３１】
ピン１１２の端部は肩部に対して適合し、コネクタ組立体が分解するのを防止する。
【０１３２】
これはパネルを側壁に積極的に係止する。図７に従った解決策の利点は、この係止がパネルをピン支持体から引き抜くことによって手動で容易に解放され得る点に見られる。
【０１３３】
本発明の第二の変形において、第一家具部材は、圧力(pressure)又は形状(form)コネクタ組立体によって第二部材に取り外し可能に取り付けられる。
【０１３４】
「形状接触(form  contact)に基づく」という着想は、２つの部分又は素子が、それらの幾何学的な形状のみの故に、よって、それらを一体に維持するのに如何なる外的な力（ナット及びボルト又は類似の装置）の影響も伴わずに、相互に接合されることを意味する。
【０１３５】
１つ又はそれよりも多くの地点で形状接触に基づきコネクタ組立体によって２つのレールを接合するために、レールの表面の１つに、平坦な反対の接触板と協働するよう、少なくとも１つの平坦な接触板が設けられる。
【０１３６】
接触板及び反対の接触板は、もし２つのレールの横方向接合のために提供されるならば、レールの断面に本質的に対応するほぼ正方形の断面開口を有する。
【０１３７】
そのような種類の圧力コネクタ組立体は、モジュラ家具の構成において、複数の家具部材が互いに対して可変角度を形成し且つ機械的な締結具が蝶番接合締結具である場合には、特に有用である。典型的な実施例は、ドア、蓋、及び、ルーバである。
【０１３８】
図８には、結合が２つの素子の間の圧力接触に基づく１つの発明的な構成が示されている。
【０１３９】
図８の例証される実施態様において、ワードローブの正面は、第一家具部材１００を形成するドアによって閉塞され、第一家具部材は、開放位置に上向きに揺動可能であるよう、その上方縁部で端部パネル又は頂壁に蝶番的に取り付けられる。
【０１４０】
照明器具３００が、鏡及びワードローブの内容物を照明するよう、ドアの内表面に取り付けられる。
【０１４１】
照明器具の端子は、蝶番を支持するドアの横方向側面に延びる一対の協働する導体レール１１０に接続される。
【０１４２】
これらのレールの側面は、ワードローブの側壁の前縁に取り付けられる相補的な圧力コネクタ板と協働する圧力コネクタ板１１５を支持する。
【０１４３】
ドアを開放後、レールの側面と蝶番付きドアのレールの側面との間で圧力接触が達成される。
【０１４４】
モジュラ家具のさらに他の構成では、複数の家具部材が、片持ち構成を形成するよう、互いに対して傾斜して整列される。
【０１４５】
図９中に最良に見られ得るように、片持ち棚構成は、第二家具部材としての後方壁部材２００と、第一下部具材としての棚パネル部材１００とを含む。
【０１４６】
上方パネルキャッチ及び下方パネルキャッチは、棚パネル１００を水平位置に維持するよう、後方壁部材２００の外表面から外向きに突出する。
【０１４７】
片持ちパネル１００は、照明器具としてのダウンライト（下向き照明）と、ダウンライトの両方の端子位置から形状接触板として成形される端部に走る一対の導体レールとを含む。
【０１４８】
下方パネルキャッチは、後方壁部材の両端から端部２１１に延び、それらの間に間隙を残す、協働する一対の導体レール２１０を含む。
【０１４９】
端部は、形状接触板として成形される。１つ又はそれよりも多くの地点で形状接触を介して二対のレールを接合するために、レール１１０及び２１０の表面（即ち、互いに接触する表面）のそれぞれに、少なくとも１つの接触板が設けられる。
【０１５０】
棚は、棚がキャッチ間を通り得るよう十分な程度までそれを上向きに傾斜することによって、後方壁キャッチ内に挿入される。然る後、棚は、それがそのコネクタ組立体部分のための着座位置を取るまで、下向きに旋回される。
【０１５１】
この構成は電気回路を完成し、ランプは点灯され得る。図面中に例証される様々な種類の家具ユニットは好適な実施例であるが、所望であれば、様々な他の種類の締結具ユニットも利用され得る。
【符号の説明】
【０１５２】
１００          電気器具を含むベース部材
１１０          電気器具に接続されるレール
１１１／１１２  コネクタ部分
２００          支持ユニット
２１０          相互接続レール
２１１／２２２  コネクタ部分
３００          電気器具
３１０          第二電気器具
３０１          電気器具端子
３２０          アダプタ
３２１          電力コード
４００          締結具
【図１】
2010502342.tif 000003
【図２】
2010502342.tif 000004
【図３】
2010502342.tif 000005
【図４】
2010502342.tif 000006
【図５】
2010502342.tif 000007
【図６】
2010502342.tif 000008
【図７】
2010502342.tif 000009
【図８】
2010502342.tif 000010
【図９】
2010502342.tif 000011
【手続補正書】
【提出日】平成21年3月6日(2009.3.6)
【手続補正１】
【補正対象書類名】明細書
【補正対象項目名】全文
【補正方法】変更
【補正の内容】
【発明の詳細な説明】
【技術分野】
【０００１】
本発明は、電動モジュラ家具システムに関する。より具体的には、本発明は、複数の異なる家具ユニットに組み立てられ得る幾つかの基本構成部品から成る電動モジュラ家具システムに関する。
【背景技術】
【０００２】
よって、電動家具システムは、顧客が彼の必要に適するように構成部品及び特注設計を購入することを可能にする。
【０００３】
大量市場のための従来的なモジュラ家具設計は、一般的には、木材及びプラスチック構造に限定される。電動構成部品は、一般的には、従来的な家具システムでは提供されない。何故ならば、殆どの製造業者は、配線、結合、及び、電機部品の据え付けのために設備も人員も備えないからである。
【０００４】
しかしながら、そのようなシステム、特に、棚の上の品目又は作業空間を照明する照明器具を含む電動及び照明家具システムの必要がある。
【０００５】
照明器具を組み込む既存のモジュラ家具システムは、典型的には、配線の使用を含み、配線は、システム構成部品内を内部的に走るか、或いは、さもなければ、目障りで潜在的に危険な方法で垂れ下がる。
【０００６】
内部導体を備える垂直部材を有する一体的電化モジュラ家具システムが、ＵＳ６５２７４０６Ｂ１号から既知である。隣接する垂直部材が異なる電気極性であるよう、導体は低電圧電力源に結合される。モジュラ家具システムにおける使用のための支持部材は、垂直部材内に係合されるときに内部導体と電気接触を行うよう設計される。光器具のような電気装置が、反対極性の垂直部材内に係合される一対のブラケットの間に結合され、電気装置を励起し得る。
【０００７】
ＤＥ１９７００５９６Ａ１号から、プレゼンテーション家具システムが既知であり、それは後方部分と前方部分との間の構造構成部品としての保持家具素子を有し、一対のバスを含む電導システムを備える。
【０００８】
ＤＥ０３２−３１６Ｕ１号は、任意の場所に取付け可能な照明器具を支持するための、導体レールを取り囲む少なくとも１つの支持レールを備え、支持レールが、本質的にＵ形状の周囲キャリアレールに取り外し可能に固定され、これと共に可変形状組み合わせレールを形成することを特徴とする、照明システムを開示している。
【０００９】
ＤＥ３９１８１９３Ａ１号は、多数の垂直パネルによって形成され且つ様々な異なる形態に組み立てられ得る家具システムを開示している。垂直パネルに組み入れているのは、その長さに沿ってアダプタ適合地点を有するストリップ取付け器具である。アダプタは、管を通じての電圧取出し及び移転のために使用される。
【発明の概要】
【発明が解決しようとする課題】
【００１０】
しかしながら、これらの家具システムは、本発明に見い出される利点の多くを提供するのに失敗している。
【００１１】
必要とされるのは、様々な構造の電動家具構成部品の急速で且つ低費用な組立てを容易化するよう機械的及び電気的に一体化され、それによって、大量市場のための電動家具の入手可能性を向上するモジュラ家具システムである。
【課題を解決するための手段】
【００１２】
これらの及び他の目的は、低電圧電気器具を備える第一家具部材を含み、低電圧電気器具は、第一家具部材の主表面に固定され、第一家具部材は、第一家具部材の主表面に界面構成で固定される一対の協働する穿孔付き（開口）導体レールを含む低電圧導管手段を備え、導体レールは、それらを対のレールに対して対状に隣接する第二家具部材に解放可能に接続するための、取り外し可能な電気コネクタ組立体の第一部分を含み、第二家具部材は、第二家具部材の主表面に界面構成で固定される第二の対の協働する穿孔付き導体レールを備え、第二の導体レールは、取り外し可能な電気コネクタ組立体の第二部分を含む、電動モジュラ家具システムによって達成される。
【００１３】
本発明のモジュラ家具システムは、製造におけるその大きな単純性、その低費用、及び、用途のその多用性によって区別される。それは組み合わせ家具の実現を許容し、それは、原理上、使用は工具を使用せずに何時でも改造され得るし、それは、取付けが簡単なので、取付けは未熟練の人によっても遂行され得る。
【００１４】
本発明に従った穿孔付き導体レールは、多数の位置で取り外し可能なコネクタ組立体のモジュラシステムに特に適しており、家具部材の横方向及び／又は垂直方向の並びに蝶番付き電気接合をもたらす。
【００１５】
導体レールは、典型的には、家具構成部品の主表面及びレールの正面の外側に突出せず、中間のパネルの表面は、電気器具が配置される平面的な表面をもたらすために、並びに、審美的な理由から平面的な後方表面を提供するためにも、実質的に平面的である。このようにして、家具システムは、魅力的な外観を有する。
【００１６】
本発明の好適実施態様によれば、電気器具は、照明器具である。
【００１７】
本発明の１つの変形によれば、挿入型のコネクタ組立体が使用される。有利に、プラグ及び受口が使用される。
【００１８】
本発明の他の変形によれば、形状接触型のコネクタ組立体が使用される。
【００１９】
家具組立体全体は、特別な位置にその光源を備え、電源への接続は、それが搭載電池を備える内部的なものであれ、電線からの外部的なものであれ、モジュラ導管システムを含む完全な電動モジュラ家具システムを構成する。
【００２０】
第一及び第二の家具部材は、導管レールが対状に且つ概ね同一平面上に整列されるよう、横方向に接合され得る。
【００２１】
第一及び第二の家具部材は、さもなければ、モジュラ導管システムを中断せずに垂直に接合され得る。
【００２２】
本発明の極めて好適な実施態様によれば、機械的締結具手段を提供するようコネクタ組立体が形成されるモジュラ家具システムが提供される。
【００２３】
このように構成され得る家具ユニットは、機械的締結具に基づく固定を備えなくても、完全な位置決めを提示し、且つ、安定性を絶対的に保証する。
【００２４】
電動モジュラ家具システムのこの実施態様は、家具の前部品に高次の固体性をもたらしながら、費用がかかり過ぎない。
【００２５】
それは、特殊な工具を使用せずに、即ち、特殊な技能を有さない如何なる使用者もこれらの動作を遂行し得る方法で、組み立てられ、取り付けられ、且つ／或いは、取り外され得る。
【００２６】
本発明は、容易に組み立てられ且つ分解される並びに様々な異なる構成に設置され得る電動モジュラ家具システムに向けられている。システムは、家具部材の１つ又は２つの主要な系統又は種類を含む、ラック、キャビネット、引出し、及び、照明ストリップパネルのような家具ユニットを提供する。
【００２７】
第一系統の家具部材は、一体化される電気器具、好ましくは、照明器具と、モジュラ電気導管手段とを支持する、パネル、棚、境界、蝶番付きドア等である。
【００２８】
第二系統の家具部材は、モジュラ回路手段を含むが、電気器具を含まない、第一家具部材を支持し或いはそれを電源に接合するよう作用する、パネル、棚、側壁、フレーム、境界のような支持及び／又は接合構成部品である。
【００２９】
ここにおいて及び以下において、「頂部」、「底部」、「後方」、「側方」、「前方」、及び、「下方」の用語は、請求される発明の記載を容易化するためにのみ使用され、家具ユニット内の家具部材の向きを制限しない。
【００３０】
様々な部材は、異なるサイズであり得るし、使用者要求及び／又は貯蔵ユニットが使用される環境に従った所望の構造を有する家具ユニットを形成するよう様々な組合せ及び小組合せにおいて一体に構成され得る。
【図面の簡単な説明】
【００３１】
【図１】本発明モジュラ機能を備えて構成された電動家具部材の第一実施態様を示す斜視図である。
【図２】第一及び第二の家具部材の間のコネクタ組立体を示す斜視図である。
【図３】本発明に従った照明ストリップの第一実施態様を示す斜視図である。
【図４】本発明に従った照明ストリップの第二実施態様を示す斜視図である。
【図５】第一及び第二の照明器具を含む本発明に従った照明ラックユニットの第一実施態様を示す斜視図である。
【図６】本発明に従った照明ラックの第二実施態様を示す斜視図である。
【図７】半管状受口を含むコネクタ組立体を示す斜視図である。
【図８】蝶番付きドアを含む電動及び照明家具ユニットの実施態様を示す概略図である。
【図９】本発明に従った片持ち棚ユニットを示す斜視図である。
【発明を実施するための形態】
【００３２】
図１を参照すると、第一家具部材１００は、典型的には、平面的な構造であり、各第一家具部材は、対向する第一及び第二の主表面と、第一及び第二の主表面に対して直交し且つそれらに結合される側面とを含み、側面の横方向縁部は、第一及び第二の主表面の横方向縁部に結合されることが見られ得る。
【００３３】
第一家具部材は、好ましくは、高さ「Ｈ」及び幅「Ｗ」の図示される矩形であるが、一体化される電気器具の取付けを可能にする、三角形、八角形、及び、類似形状のような平坦な表面を有する、他の形状も使用され得る。
【００３４】
家具部材は、平坦である必要もなく、例えば、それらは湾曲も有し得る。
【００３５】
家具部材は、典型的には、様々な木材、大理石、又は、石材のような天然材料を含む一般的な家具建造材料で形成されるが、ＭＤＦ、Ｆｉｎ  ｐｌｙ（ＴＭ）、Ｃｏｒｉａｎ（ＴＭ）、又は、ガラスのような人工製品も使用され得る。好ましくは、この発明において使用される家具構成部品は、木材又はプラスチック材料のような絶縁材料から作成される。
【００３６】
第一家具部材は、構成部品の第一主表面に接続される低電圧電気器具３００を含む。
【００３７】
電気器具は、様々な種類及び量の照明、スイッチ設計、有用性、及び、他の用途をもたらす様々な形態を取り得る。
【００３８】
本発明の好適実施態様によれば、モジュラ家具システムは、低電圧白熱灯（白熱ランプ）、蛍光灯（蛍光ランプ）、又は、ＬＥＤランプ用の器具のような、少なくとも１つの低電圧照明器具を含む。
【００３９】
別個の或いはストリップ状の照明器具が使用され得る。全ての第一家具部材に提供される類似の照明器具があり得るし、或いは、使用者が彼の要求に適するよう或いは異なる照明効果のために選択する照明選択肢の選択を有するよう、部材の少なくとも一部の照明において相違があり得る。
【００４０】
一体化される電気器具は、完全なモジュラ低電圧導管設計を構成する電力、検出、及び、制御のための補助的な電気回路手段も組み込む。
【００４１】
補助的な回路手段は、電気幹線電圧アダプタ３１０のような出力制御素子を含み得る。好ましくは、アダプタは、コンパクトなユニットであり、それは過度に目立たず、システム内の視野から隠され得る。電力コントローラ３１０は、従来的な組立技法に従って組み立てられ得るＡＣ／ＤＣコンバータを含む。それはさらに外部電力入力３２０を含み得る。
【００４２】
また、１つ又はそれよりも多くのスイッチが設けられ得る。そのようなスイッチは、タイマ設定、多数の光のための多数のスイッチ設定、及び、遠隔制御活性化を含み得るが、それらに限定されない。
【００４３】
電気器具に電力供給するために、電気器具の２つの端子は、電力源の反対の極に直接的に或いは間接的に電気的に接続されなければならない。
【００４４】
従って、第一家具部材１００は、部材の主表面に一体化される一対の協働する穿孔された第一及び第二の導体レール１１０を含む。
【００４５】
穿孔付き導体レール１１０は、鋼、アルミニウム、真鍮、又は、類似物のような、伝導性金属から形成され得る。
【００４６】
有利に、レール１１０は、中実構造であり、好ましくは、正方形又は矩形の断面を有する。他の実施態様によれば、導体レールは、台形断面、或いは、横方向案内バーを備える矩形である。例えば、蟻に類似するアンダーカット楔形状断面も設けられ得る。
【００４７】
典型的には、レールの正面は滑らかであるが、本発明の代替的な実施態様によれば、レールの正面は、飾りのような装飾素子、或いは、凸状或いは凹状の、湾曲した或いは傾斜した表面を含み得る。
【００４８】
穿孔付き導体レールの界面構成を提供するために、並びに、前記レールを堅固に固定するために、それらは第一家具部材の主表面にスロット嵌めされる。
【００４９】
一対の開放スロットが、一対の穿孔付き導体レールを形状係止的(form-locking)又は強制係止的(force-locking)に取り囲み、家具部材の主表面と実質的に面一である。
【００５０】
好適実施態様によれば、家具部材は、側面から主表面に入り電気器具３００の取付け地点まで延びる一対のレールで形成される。
【００５１】
代替的な実施態様によれば、家具構成部品は、主表面を通じて側面から反対の側面まで延びる一対のレールで形成される。
【００５２】
穿孔付き導体レールの最大深さは、有利に、第一家具構成部品の断面の高さの半分以下である。
【００５３】
レールの正面及び中間の家具部材の表面は、典型的には、電気器具が配置される平面的な表面を提供するために、実質的に平面的である。
【００５４】
一対のレールは、主表面の縁部よりも狭い間隙を備えて、主表面の縁取り(fringe)から離れて配置される。
【００５５】
本発明の１つの実施態様によれば、協働する一対のレール１１０は、各レールの１つの部分が電気器具と接触するよう、電気器具の端子間の間隙と一致する均一な間隙レールによって物理的に分離されるよう配置される。
【００５６】
本発明の代替的な実施態様によれば、協働する一対のレール１１０は、各レールが電気器具と接触するよう、電気器具の両側と接触するために非均一な間隙によって物理的に分離されるよう傾斜され且つ配置される。
【００５７】
穿孔付き導体レール１１０は、従来技術において理解される技法を介して電気器具の端子に締結される。
【００５８】
モジュラ導管システムを提供するために、並びに、家具部材に取り付けられる電気器具に電力供給するために、穿孔付き導体レールは、電源の両極に直接的に或いは間接的に電気的に接続されなければならない。
【００５９】
本発明の好適実施態様によれば、第一家具部材１００は、少なくとも１つの第二家具部材２００を介して電源に接続される。
【００６０】
第二家具部材２００は、支持部材、側壁、延長部のような部材であり得る。
【００６１】
第二家具部材２００は、レール１１０に設計的に類似する、協働する離間した一対の穿孔付き導管レール２１０も備える。
【００６２】
第一及び第二の家具部材を接合するために、家具構成部品は、モジュラ電気導管システムを含むモジュラ家具システムを可能にするよう、複数の家具部材を電気的に相互接続し且つ機械的に相互締結するために、１つ又はそれよりも多くの協働的な取り外し可能な接合手段と適合される。
【００６３】
第一及び第二の家具部材を接合するために、機械的相互締結手段４００が必要とされる。
【００６４】
原理上、第一家具部材は、任意の従来的な方法で、所望の位置において、第二家具部材に機械的に締結され得る。
【００６５】
例えば、それらは、溶接、ろう接、接着性又は粘着性の結合材料によって、互いに恒久的に付着され得る。
【００６６】
しかしながら、簡単で安価なモジュラ設定を提供するために、ボルト、ネジ、フック、リベット、ピン、ポスト、クリップ、クランプ、バックル、及び、他の従来的な締結具による取り外し可能な相互締結手段が、好ましい変形である。
【００６７】
電気的相互接続は、導体レールの部分に取り付けられるコネクタ組立体を介して行われる。コネクタ組立体の部分は、それらを対でレールの対に、隣接する家具部材に、或いは、モジュラ電気導体のための電源に解放可能に接続するためにレールに提供される。本発明の１つの実施態様によれば、コネクタ組立体は、家具部材の高さを通じて貫通し得る。
【００６８】
本発明の好適実施態様によれば、導体レールの部分は、取り外し可能な電気的コネクタ部分を備える。
【００６９】
本発明に従った穿孔付き導体レールは、多数の位置における取り外し可能なコネクタ組立体のモジュラシステムに特に適し、家具部材の横方向及び／又は垂直方向の、及び／又は、蝶番付き電気的接合をもたらす。
【００７０】
有利に、取り外し可能なコネクタ組立体は、挿入型又は圧力型である。
【００７１】
挿入型の取り外し可能なコネクタ組立体は、プラグコネクタ部分と、一致する受口コネクタ部分とを含む。
【００７２】
成形又は圧力型の取り外し可能なコネクタ組立体は、２つの一致する接触面部分を含む。２つの部分の伝導性部分は、「正面」(“head  on”)接合される、即ち、それらが接合される方向に前記部分の「正面」端部に配置される。
【００７３】
モジュラ家具システムの高度の調節性を許容するために、有利に、全ての導体レールは、コネクタ部分を備えるが、部材毎に２つの接続部分だけが必要とされる。
【００７４】
従って、各導体レールは、その表面上に或いはさもなければ横方向側面上に配置され、且つ、第二家具部材又は電源の接触部分と接触させられるよう構成される、少なくとも１つの導体部分を含む。
【００７５】
コネクタ組立体は、コネクタ部分の係止的な係合をもたらすために、相互接続回止め手段を有し得る。
【００７６】
本発明の第一の変形において、第一家具部材は、プラグと受口部分とを含む挿入コネクタ組立体によって第二部材に取り外し可能に取り付けられる。
【００７７】
プラグ及び受口は協働するよう設計され、且つ、隣接する家具部材のプラグ及び受口と結合する。
【００７８】
この変形の第一実施態様において、第一家具構成部品は、互いに対して横方向に変位される位置において、第二構成部品に取り外し可能に取り付けられる。
【００７９】
本発明のこの実施態様は、幾つかのパネル又は棚が列を形成するようそれらが接続される場合に有利である。
【００８０】
この種類の較正のコネクタ手段を提供するために、コネクタレールの端部は、他の家具構成部品又は電源の導体レールの端部で受口２１１に嵌め込まれるよう、電気プラグ１１１として構成される。
【００８１】
図２に最良に示されるように、第一家具部材のレールのプラグ１１１は、第二家具部材の導体レールの側面上の受口２１１と係合するよう延在する。
【００８２】
２つのパネルが共通の横方向平面内で一体に接合される場合には、図２に示される平坦な突起(prong)付きコネクタ組立体が有利に使用される。
【００８３】
他の形状のプロファイルも使用され得る。図１には、異なる種類のプラグインコネクタ組立体が示されており、それは２つの丸められた突起を有し、極めて論理的に、受口のための丸い孔を有する。
【００８４】
プラグはバネ荷重部材も備え得る。必要とされる場合には、バネは接続のための追加的な接触圧力をもたらす。
【００８５】
図７に示される本発明の他の実施態様によれば、モジュラシステムは、第一部材の管状受口１１４と協働し且つ第二部材のレールの対応する円筒状受口２１２内に延びる取外し式の挿入円筒形ピン１１２を使用する。
【００８６】
プラグ及び受口は、好ましくは、家具部材が互いに面一になることを保証するために、レールの幅未満で延びる。
【００８７】
図３及び４には、本発明に従ったモジュラ家具システムのモジュラ家具版の簡単な構成が示されている。
【００８８】
図３は、照明ストリップ、及び、バネ荷重管状ピンを含むプラグコネクタ組立体によるその取付けの斜視図を示している。
【００８９】
少なくとも３つの家具部材、ベース部材１００及び２つの側壁部材２００が、１つ又はそれよりも多くの照明器具３００で個別に照明され得るストリップ状照明システムを形成するよう組み立てられる。
【００９０】
図３に示されるストリップ状照明システムは、棚又はキャビネットの下面から下に光を投射するために有利に使用される。従って、第一パネル部材の上方及び下方の側壁は、棚又は天井の下のストリップ状照明部材の傾斜配置のために面取りされる。
【００９１】
幾つかのベース部材１００が、整列されたパネルの続きのために接合され得る。
【００９２】
ベース部材１００の正面は、小さい白熱灯のような陥凹照明器具３００が接続され得る２つの離間した導体レール１１０を支持する。ランプの端子は、伝導レールの接触部分に適切な方法で接続される。
【００９３】
導体レールの端部は、バネ取付け管状ピン１１１として成形されるプラグを含むのに対し、側壁部材のレールは、円形受口を含む。
【００９４】
第一部材１００の側部に位置付けられるのは、傾斜ストリップの背後の空洞を隠し、幹線電圧アダプタ３１０も隠すための、三角形として成形される接合する対の垂直フレーム第二家具部材２００である。
【００９５】
垂直パネルは、傾斜部材のコネクタ部分地点と接触するよう、傾斜導体レールを支持する。端部は、管状受口を備える。
【００９６】
図４は、照明ストリップ１０の代替的な実施態様の斜視図を示している。図４に示される照明ストリップと上記される照明ストリップとの間の相違は、上向きに開口する溝をそこに提供することである。溝はベース部材の全長に沿って延び、整列パネルの続きの本質的に全長に沿って長手方向に延びる連続的な溝を形成する。この構成は、整列パネルの全長に沿ってランプ３０５及び品目ホルダ４０５のための器具のような取り外し可能な器具の連続的な中断されない摺動又は調節を許容する。
【００９７】
他の全ての点では、図４に示される照明ストリップは、上記された照明ストリップと構造及び動作が本質的に同じである。
【００９８】
第一家具部材のプラグは第二家具部材のレールの側面上の受口と必ずしも横方向に係合する必要がないことが理解されるべきである。
【００９９】
複数の家具部材が横方向に整列されず、むしろ、互いに固定されて或いは蝶番付けられて角度を形成する全ての種類のモジュラ家具構成がある。
【０１００】
本発明の変形によれば、別個の家具部材が９０度間隔に相互接続され得る。
【０１０１】
本発明の好適実施態様によれば、導体レールの頂面部分は、取り外し可能な電気コネクタ組立体部分を備える。
【０１０２】
この種類の構成のための接続手段を提供するために、第一家具部材のレールのプラグは、第二家具部材の導体穿孔付きレールの頂面上の受口内に延びて係合する。
【０１０３】
本発明のこの変形は、ラック、本棚、及び／又は、開放又はドア付きの棚若しくはキャビネットを含む、様々な種類の家具ユニットを製造するよう有利に利用され得る。
【０１０４】
図５には、本発明のそのような種類の実施例、１つ又はそれよりも多くの照明器具で個別に照明され得る棚を備える棚システムが示されている。
【０１０５】
図５に示されるように、棚システムは、支持構造又はフレームを形成するよう互いに接合される、一対の離間した従属側壁２００、頂壁及び底壁から形成される。
【０１０６】
フレームは、次いで、支持構造に対するあらゆる角度で、好ましくは、それに対して水平に、下に位置する支持構造の側壁に独立的に且つ取り外し可能に取り付けられる少なくとも１つのパネル１００を支持する。
【０１０７】
互いに対する並びに棚に対するフレーム部材の機械的接合は、従来的な締結手段４００によって提供される。
【０１０８】
棚１００の少なくとも一部、（構造のベースにある棚を可能な例外として）潜在的にそれらの全ては、主表面に取り付けられる電気器具を有する。
【０１０９】
照明器具は、通常、下向きに下に位置付けられ、且つ、棚パネルの下方表面内の空所に部分的に或いは完全に置かれる。
【０１１０】
よって、照明器具は隠され、棚１００の下面を照明し、それによって、下の棚の上に配置される物品は、隠蔽される照明によって適切に照明される。
【０１１１】
代替例は、天井を照明するために頂面に取り付けられるフラッドライト（投光器）である。
【０１１２】
図５に示されるランプ３０５の端子３０１は、棚の同一側に配置される主表面に沿って延びる一対の伝導レール（図示せず）に接続される。
【０１１３】
代替的に、ランプ３０５は、棚の他の主表面に配置される一対の伝導レールとの電気接触を形成し得る。
【０１１４】
図面の図４及び５に最良に示されるように、各側パネル２００は、横方向に並びに長手方向に離間する一対の導体穿孔付きレールを備える。これらのレールは、１つ又はそれよりも多くの水平な第一家具部材のパネル１００の各導体レールの端部と一体のプラグを受け入れるためにそれらの頂面に形成される複数の離間した受口を有する。
【０１１５】
よって、パネル１００及び２００のレールは、照明器具３００から電源（図示せず）への連続的な電気トラックを形成する。
【０１１６】
側壁２００の導体レール２１０は、側壁パネル２００の側面に向かって棚側壁の全長に沿って延びる。
【０１１７】
穿孔付き導体レール２１０の自由な上方及び下方の端部は、棚側壁が第二の種類の電気照明器具に或いは床電源に接続されるのを可能にするよう、好ましくは、その上に受口も備える。
【０１１８】
図５には、寝室用ランプとして有用な第二の種類の照明器具を含む家具ユニットが示されている。
【０１１９】
図５中に最良に見られ得るように、ランプ下方部分は、側壁部材内の協働する一対の導体レールの前記側面に相互接続され且つ締結される手段を含む。
【０１２０】
そのような相互接続のための手段は、例えば、ランプを前記側壁に固定するために相互接続する受口への係合のためのプラグを含むランプ二部ベースによって構成される。
【０１２１】
本発明のランプベースは、図５に示されるような様々な型になり得る。
【０１２２】
図５の実施態様中の電気コネクタと機械的締結具との組み合わせが最大精度で位置付けられなければならないことは明らかである。これはパネルのサイズが考慮されるときに特に困難であることが分かり得る。そのような設計は、空気条件変化（例えば、湿度、温度）の結果として変化し得るピン及びボアの位置及び寸法における変動も受けやすい。
【０１２３】
よって、本発明の特に好適な特徴によれば、２つの家具部材の間の接合は、導体レールの部分が電気コネクタ及び機械的締結具として同時に作用するようである。
【０１２４】
図６を参照すると、モジュララックは、やはり、一対の同様に別個に配置され並びに平行で水平な頂部材及び底部材に締結される、一対の別個に配置され並びに平行で垂直な支持部材２００で構成される。
【０１２５】
照明器具、並びに、一対の別個に配置され並びに平行で水平な導体レールは、水平な家具部材１００の下方表面に固定される。
【０１２６】
図５の実施態様と比較されると、垂直な行列の受口を支持する側壁パネルの穿孔付きレールは、より広く離間している、即ち、棚幅の１／２〜４／５、好ましくは、棚幅の約２／３のオーダにある間隔である。
【０１２７】
そのような列の受口は、図６の実施態様においてより広く離間されるので、トラックの側壁２００とパネル１００との間の機械的締結は、棚荷重支持電気コネクタ組立体で起こる重力の力に対する抵抗をもたらすのに十分である。
【０１２８】
よって、照明されるパネルを側壁パネルに物理的に接合するのに機械的な締結具は不要である。これは製造費用を削減するのを助け、棚の位置決めにより多くの柔軟性をもたらす。
【０１２９】
本発明の好適実施態様において、第一家具部材は、複数の位置で第二部材に取り外し可能に取り付けられ得る。１つの位置は、互いに対して垂直に配置される。
【０１３０】
本発明のさらに他の実施態様が図７に示されており、それは基本的には図５及び６に示されるものに対応している。
【０１３１】
この実施態様によれば、受口１１４は、半管状形態である。
【０１３２】
各受口１１４は、長手に延びる肩部を定める半管状断面を含む。
【０１３３】
ピン１１２の端部は肩部に対して適合し、コネクタ組立体が分解するのを防止する。
【０１３４】
これはパネルを側壁に積極的に係止する。図７に従った解決策の利点は、この係止がパネルをピン支持体から引き抜くことによって手動で容易に解放され得る点に見られる。
【０１３５】
本発明の第二の変形において、第一家具部材は、圧力(pressure)又は形状(form)コネクタ組立体によって第二部材に取り外し可能に取り付けられる。
【０１３６】
「形状接触(form  contact)に基づく」という着想は、２つの部分又は素子が、それらの幾何学的な形状のみの故に、よって、それらを一体に維持するのに如何なる外的な力（ナット及びボルト又は類似の装置）の影響も伴わずに、相互に接合されることを意味する。
【０１３７】
１つ又はそれよりも多くの地点で形状接触に基づきコネクタ組立体によって２つのレールを接合するために、レールの表面の１つに、平坦な反対の接触板と協働するよう、少なくとも１つの平坦な接触板が設けられる。
【０１３８】
接触板及び反対の接触板は、もし２つのレールの横方向接合のために提供されるならば、レールの断面に本質的に対応するほぼ正方形の断面開口を有する。
【０１３９】
そのような種類の圧力コネクタ組立体は、モジュラ家具の構成において、複数の家具部材が互いに対して可変角度を形成し且つ機械的な締結具が蝶番接合締結具である場合には、特に有用である。典型的な実施例は、ドア、蓋、及び、ルーバである。
【０１４０】
図８には、結合が２つの素子の間の圧力接触に基づく１つの発明的な構成が示されている。
【０１４１】
図８の例証される実施態様において、ワードローブの正面は、第一家具部材１００を形成するドアによって閉塞され、第一家具部材は、開放位置に上向きに揺動可能であるよう、その上方縁部で端部パネル又は頂壁に蝶番的に取り付けられる。
【０１４２】
照明器具３００が、鏡及びワードローブの内容物を照明するよう、ドアの内表面に取り付けられる。
【０１４３】
照明器具の端子は、蝶番を支持するドアの横方向側面に延びる一対の協働する導体レール１１０に接続される。
【０１４４】
これらのレールの側面は、ワードローブの側壁の前縁に取り付けられる相補的な圧力コネクタ板と協働する圧力コネクタ板１１５を支持する。
【０１４５】
ドアを開放後、レールの側面と蝶番付きドアのレールの側面との間で圧力接触が達成される。
【０１４６】
モジュラ家具のさらに他の構成では、複数の家具部材が、片持ち構成を形成するよう、互いに対して傾斜して整列される。
【０１４７】
図９中に最良に見られ得るように、片持ち棚構成は、第二家具部材としての後方壁部材２００と、第一下部具材としての棚パネル部材１００とを含む。
【０１４８】
上方パネルキャッチ及び下方パネルキャッチは、棚パネル１００を水平位置に維持するよう、後方壁部材２００の外表面から外向きに突出する。
【０１４９】
片持ちパネル１００は、照明器具としてのダウンライト（下向き照明）と、ダウンライトの両方の端子位置から形状接触板として成形される端部に走る一対の導体レールとを含む。
【０１５０】
下方パネルキャッチは、後方壁部材の両端から端部２１１に延び、それらの間に間隙を残す、協働する一対の導体レール２１０を含む。
【０１５１】
端部は、形状接触板として成形される。１つ又はそれよりも多くの地点で形状接触を介して二対のレールを接合するために、レール１１０及び２１０の表面（即ち、互いに接触する表面）のそれぞれに、少なくとも１つの接触板が設けられる。
【０１５２】
棚は、棚がキャッチ間を通り得るよう十分な程度までそれを上向きに傾斜することによって、後方壁キャッチ内に挿入される。然る後、棚は、それがそのコネクタ組立体部分のための着座位置を取るまで、下向きに旋回される。
【０１５３】
この構成は電気回路を完成し、ランプは点灯され得る。図面中に例証される様々な種類の家具ユニットは好適な実施例であるが、所望であれば、様々な他の種類の締結具ユニットも利用され得る。
【符号の説明】
【０１５４】
１００          電気器具を含むベース部材
１１０          電気器具に接続されるレール
１１１／１１２  コネクタ部分
２００          支持ユニット
２１０          相互接続レール
２１１／２２２  コネクタ部分
３００          電気器具
３１０          第二電気器具
３０１          電気器具端子
３２０          アダプタ
３２１          電力コード
４００          締結具
【手続補正２】
【補正対象書類名】特許請求の範囲
【補正対象項目名】全文
【補正方法】変更
【補正の内容】
【特許請求の範囲】
【請求項１】
低電圧電気器具を備える第一家具部材を含み、前記低電圧電気器具は、前記第一家具部材の主表面に固定され、前記第一家具部材は、前記第一家具部材の主表面に界面構成で固定される一対の協働する穿孔付き導体レールを含む低電圧導管手段を備え、前記導体レールは、それらを対でレールの対に或いは隣接する第二家具部材に解放可能に接続するための、取り外し可能な電気コネクタ組立体の第一部分を含み、前記第二家具部材は、前記第二家具部材の主表面に界面構成で固定される第二の対の協働する穿孔付き導体レールを備え、前記第二の導体レールは、前記取り外し可能な電気コネクタ組立体の第二部分を含む、電動モジュラ家具システム。
【請求項２】
前記電気器具は、照明器具である、請求項１に記載の電動モジュラ家具システム。
【請求項３】
前記コネクタ組立体は、挿入型である、請求項１に記載の電動モジュラ家具システム。
【請求項４】
前記コネクタ組立体は、形状接触型である、請求項１に記載の電動モジュラ家具システム。
【請求項５】
前記第一及び第二の家具部材は、横方向に接合される、請求項１に記載の電動モジュラ家具システム。
【請求項６】
前記第一及び第二の家具部材は、垂直に接合される、請求項１に記載の電動モジュラ家具システム。
【請求項７】
前記コネクタ組立体は、機械的な締結具手段を提供するよう形成される、請求項１に記載の電動モジュラ家具システム。
【国際調査報告】
2010502342.tif 000012
2010502342.tif 000013